(57)【要約】【課題】この発明は、例えば負変調及び正変調の放送方式について、それぞれ放送チャンネルを自動的に検索してプリセットする際に、放送チャンネルの検索に要する時間を短縮することを可能とした放送受信装置及び放送受信方法を提供することを目的としている。【解決手段】所定の受信チャンネルに対して、正変調方式で変調処理されたテレビジョン信号を検出し、正変調方式で変調処理されたテレビジョン信号が検出された場合、所定の受信チャンネルを登録する。また、正変調方式で変調処理されたテレビジョン信号が検出されない場合、負変調方式で変調処理されたテレビジョン信号を検出し、負変調方式で変調処理されたテレビジョン信号が検出された場合、所定の受信チャンネルを登録する。【選択図】　　図２
2004104593.tif 000002
【特許請求の範囲】
【請求項１】
所定の受信チャンネルに対して、第１の変調方式で変調処理された放送信号を検出し、該第１の変調方式で変調処理された放送信号が検出された場合、前記所定の受信チャンネルを登録する第１のプリセット手段と、
この第１のプリセット手段により、前記第１の変調方式で変調処理された放送信号が検出されない場合、第２の変調方式で変調処理された放送信号を検出し、該第２の変調方式で変調処理された放送信号が検出された場合、前記所定の受信チャンネルを登録する第２のプリセット手段とを具備してなることを特徴とする放送受信装置。
【請求項２】
前記第１のプリセット手段は、
前記所定の受信チャンネルに対して、前記第１の変調方式で変調処理された放送信号を検出する第１の検出手段と、
この第１の検出手段で、前記第１の変調方式で変調処理された放送信号が検出された場合、前記所定の受信チャンネルを登録する第１の登録手段とを備え、
前記第２のプリセット手段は、
前記第１の検出手段で、前記第１の変調方式で変調処理された放送信号が検出されない場合、前記第２の変調方式で変調処理された放送信号を検出する第２の検出手段と、
この第２の検出手段で、前記第２の変調方式で変調処理された放送信号が検出された場合、前記所定の受信チャンネルを登録する第２の登録手段とを具備してなることを特徴とする請求項１記載の放送受信装置。
【請求項３】
前記所定の受信チャンネルを登録した状態、または、前記第２の変調方式で変調処理された放送信号が検出されない状態で、前記所定の受信チャンネルを予め設定されている次の受信チャンネルに移行させるチャンネル移行手段を具備してなることを特徴とする請求項１記載の放送受信装置。
【請求項４】
前記チャンネル移行手段により移行された受信チャンネルに対して、前記第１のプリセット手段による前記第１の変調方式で変調処理された放送信号の検出動作を開始させる動作制御手段を具備してなることを特徴とする請求項３記載の放送受信装置。
【請求項５】
前記第１のプリセット手段は、
前記所定の受信チャンネルで受信された映像信号に、前記第１の変調方式に対応した復調処理を施す第１の復調手段と、
この第１の復調手段で復調処理された映像信号から、変調方式に無関係に得られるチャンネル検索用信号を取得する取得手段と、
この取得手段で前記チャンネル検索用信号が得られた状態で、前記第１の復調手段で復調処理された映像信号に含まれる同期信号を検出する第１の同期検出手段と、
この第１の同期検出手段により同期信号が検出された状態で、前記所定の受信チャンネルを登録する第１の登録手段とを備え、
前記第２のプリセット手段は、
前記第１の同期検出手段により同期信号が検出されない状態で、前記所定の受信チャンネルで受信された音声信号のキャリアが、前記第２の変調方式で変調処理された映像信号に対応するものであるか否かを判別する判別手段と、
この判別手段により前記音声信号のキャリアが前記第２の変調方式で変調処理された映像信号に対応するものであると判別された場合、前記所定の受信チャンネルで受信された映像信号に、第２の変調方式に対応した復調処理を施す第２の復調手段と、
この第２の復調手段で復調処理された映像信号に含まれる同期信号を検出する第２の同期検出手段と、
この第２の同期検出手段により同期信号が検出された状態で、前記所定の受信チャンネルを登録する第２の登録手段とを具備してなることを特徴とする請求項１記載の放送受信装置。
【請求項６】
前記所定の受信チャンネルを登録した状態、または、前記第２の同期検出手段により同期信号が検出されない状態で、前記所定の受信チャンネルを予め設定されている次の受信チャンネルに移行させるチャンネル移行手段を具備してなることを特徴とする請求項５記載の放送受信装置。
【請求項７】
前記チャンネル移行手段により移行された受信チャンネルに対して、前記第１のプリセット手段による前記第１の変調方式で変調処理された放送信号の復調動作を開始させる動作制御手段を具備してなることを特徴とする請求項６記載の放送受信装置。
【請求項８】
所定の受信チャンネルで受信した放送信号に含まれる情報に対応した信号を記録する記録手段を具備してなることを特徴とする請求項１記載の放送受信装置。
【請求項９】
前記チャンネル検索用信号は、ＡＦＴ信号であることを特徴とする請求項５記載の放送受信装置。
【請求項１０】
所定の受信チャンネルに対して、第１の変調方式で変調処理された放送信号を検出し、該第１の変調方式で変調処理された放送信号が検出された場合、前記所定の受信チャンネルを登録する第１のステップと、
この第１のステップにより、前記第１の変調方式で変調処理された放送信号が検出されない場合、第２の変調方式で変調処理された放送信号を検出し、該第２の変調方式で変調処理された放送信号が検出された場合、前記所定の受信チャンネルを登録する第２のステップとを有することを特徴とする放送受信方法。
【請求項１１】
前記第１のステップは、
前記所定の受信チャンネルに対して、前記第１の変調方式で変調処理された放送信号を検出する第１の検出ステップと、
この第１の検出ステップで、前記第１の変調方式で変調処理された放送信号が検出された場合、前記所定の受信チャンネルを登録する第１の登録ステップとを有し、
前記第２のステップは、
前記第１の検出ステップにより、前記第１の変調方式で変調処理された放送信号が検出されない場合、前記第２の変調方式で変調処理された放送信号を検出する第２の検出ステップと、
この第２の検出ステップで、前記第２の変調方式で変調処理された放送信号が検出された場合、前記所定の受信チャンネルを登録する第２の登録ステップとを有することを特徴とする請求項１０記載の放送受信方法。
【請求項１２】
前記所定の受信チャンネルを登録した状態、または、前記第２の変調方式で変調処理された放送信号が検出されない状態で、前記所定の受信チャンネルを予め設定されている次の受信チャンネルに移行させるチャンネル移行ステップを有することを特徴とする請求項１０記載の放送受信方法。
【請求項１３】
前記チャンネル移行ステップにより移行された受信チャンネルに対して、前記第１のステップによる前記第１の変調方式で変調処理された放送信号の検出動作を開始させる動作制御ステップを有することを特徴とする請求項１２記載の放送受信方法。
【請求項１４】
前記第１のステップは、
前記所定の受信チャンネルで受信された映像信号に、前記第１の変調方式に対応した復調処理を施す第１の復調ステップと、
この第１の復調ステップで復調処理された映像信号から、変調方式に無関係に得られるチャンネル検索用信号を取得する取得ステップと、
この取得ステップで前記チャンネル検索用信号が得られた状態で、前記第１の復調ステップで復調処理された映像信号に含まれる同期信号を検出する第１の同期検出ステップと、
この第１の同期検出ステップにより同期信号が検出された状態で、前記所定の受信チャンネルを登録する第１の登録ステップとを有し、
前記第２のステップは、
前記第１の同期検出ステップにより同期信号が検出されない状態で、前記所定の受信チャンネルで受信された音声信号のキャリアが、前記第２の変調方式で変調処理された映像信号に対応するものであるか否かを判別する判別ステップと、この判別ステップにより前記音声信号のキャリアが前記第２の変調方式で変調処理された映像信号に対応するものであると判別された場合、前記所定の受信チャンネルで受信された映像信号に、第２の変調方式に対応した復調処理を施す第２の復調ステップと、
この第２の復調ステップで復調処理された映像信号に含まれる同期信号を検出する第２の同期検出ステップと、
この第２の同期検出ステップにより同期信号が検出された状態で、前記所定の受信チャンネルを登録する第２の登録ステップとを有することを特徴とする請求項１０記載の放送受信方法。
【請求項１５】
前記所定の受信チャンネルを登録した状態、または、前記第２の同期検出ステップにより同期信号が検出されない状態で、前記所定の受信チャンネルを予め設定されている次の受信チャンネルに移行させるチャンネル移行ステップを有することを特徴とする請求項１４記載の放送受信方法。
【請求項１６】
前記チャンネル移行ステップにより移行された受信チャンネルに対して、前記第１のステップによる前記第１の変調方式で変調処理された放送信号の復調動作を開始させる動作制御ステップを有することを特徴とする請求項１５記載の放送受信方法。
【請求項１７】
所定の受信チャンネルで受信した放送信号に含まれる情報に対応した信号を記録する記録ステップを有することを特徴とする請求項１０記載の放送受信方法。
【発明の詳細な説明】
【０００１】
【発明の属する技術分野】
この発明は、例えばテレビジョン放送等を受信する放送受信装置及び放送受信方法に係り、特にその多数の放送チャンネルを自動的に検索してプリセットする機能を改良したものに関する。
【０００２】
【従来の技術】
周知のように、現在のテレビジョン放送受信機においては、放送チャンネルをプリセットする手段として、多数の放送チャンネルを自動的に検索してプリセットする、いわゆるオートチャンネルプリセット機能を備えている。
【０００３】
このオートチャンネルプリセット機能は、受信周波数を低い周波数から高い周波数に向けて所定の間隔で段階的に順次可変し、各受信周波数においてテレビジョン信号を正しく受信することができたか否かをそれぞれ検出する。
【０００４】
そして、テレビジョン信号を正しく受信することができた受信周波数については、例えば、その放送局に付されたチャンネル番号等と対応させて、不揮発性のメモリに順次登録していくものである。
【０００５】
ところで、テレビジョン放送において、その放送方式、つまり、放送されるテレビジョン信号の周波数帯域、標準方式及び変調方式等は、国や地域によって大きく異なっている。
【０００６】
例えば、欧州地域では、テレビジョン信号に負変調処理を施して放送する方式（Ｂ／Ｇ、Ｉ、Ｄ／Ｋシステム）と、テレビジョン信号に正変調処理を施して放送する方式（Ｌシステム）とがある。
【０００７】
そして、現状のオートチャンネルプリセット手段では、まず、一方の方式について、受信周波数を所定の間隔で段階的に可変させて、テレビジョン信号を正しく受信することができる放送チャンネルを検索し、メモリに登録する。
【０００８】
その後、他方の方式についても、受信周波数を所定の間隔で段階的に可変させて、テレビジョン信号を正しく受信することができる放送チャンネルを検索し、メモリに登録している。
【０００９】
しかしながら、このような現状のオートチャンネルプリセット手段では、負変調方式と正変調方式との両方の変調方式について、それぞれ同じ検索動作を繰り返し行なっている。
【００１０】
すなわち、現状では、オートチャンネルプリセットの開始から終了までにかかる時間が、一方の変調方式に対するオートチャンネルプリセットに要する時間を単純に２倍したものとなっており、時間の短縮が望まれている。
【００１１】
ここで、特許文献１として提示する特開平６−６６９３号公報では、チャンネルプリセット時に、まず、所定ステップ幅の周波数データに基づいて、有信号チャンネルをサーチする。
【００１２】
そして、有信号チャンネルをサーチすることができた場合、その周波数データを基準として、次のサーチを、チャンネル間隔周波数に基づいて設定されたステップ幅で行なうことにより、チャンネルサーチ時間を短縮している。
【００１３】
しかしながら、この公開公報に示された構成では、予め、テレビジョン放送受信機に国や地域毎のチャンネル間隔周波数を記憶させておく必要がある。このため、テレビジョン放送受信機を出荷する国や地域が増減したり、放送方式の変更等があると、その都度、更新する必要が生じる。
【００１４】
【特許文献１】
特開平６−６６９３号公報
【００１５】
【発明が解決しようとする課題】
そこで、この発明は上記事情を考慮してなされたもので、例えば負変調及び正変調の放送方式について、それぞれ放送チャンネルを自動的に検索してプリセットする際に、放送チャンネルの検索に要する時間を短縮することを可能とした放送受信装置及び放送受信方法を提供することを目的とする。
【００１６】
【課題を解決するための手段】
この発明に係る放送受信装置は、所定の受信チャンネルに対して、第１の変調方式で変調処理された放送信号を検出し、該第１の変調方式で変調処理された放送信号が検出された場合、所定の受信チャンネルを登録する第１のプリセット手段と、この第１のプリセット手段により、第１の変調方式で変調処理された放送信号が検出されない場合、第２の変調方式で変調処理された放送信号を検出し、該第２の変調方式で変調処理された放送信号が検出された場合、所定の受信チャンネルを登録する第２のプリセット手段とを備える。
【００１７】
また、この発明に係る放送受信方法は、所定の受信チャンネルに対して、第１の変調方式で変調処理された放送信号を検出し、該第１の変調方式で変調処理された放送信号が検出された場合、所定の受信チャンネルを登録する第１のステップと、この第１のステップにより、第１の変調方式で変調処理された放送信号が検出されない場合、第２の変調方式で変調処理された放送信号を検出し、該第２の変調方式で変調処理された放送信号が検出された場合、所定の受信チャンネルを登録する第２のステップとを有する。
【００１８】
上記のような構成及び方法によれば、所定の受信チャンネルに対して、第１の変調方式で変調処理された放送信号が検出されない場合、第２の変調方式で変調処理された放送信号の検出に切り替えるようにしたので、例えば負変調及び正変調の放送方式について、それぞれ放送チャンネルを自動的に検索してプリセットする際に、放送チャンネルの検索に要する時間を短縮することが可能となる。
【００１９】
【発明の実施の形態】
以下、この発明の実施の形態について図面を参照して詳細に説明する。まず、図１は、この実施の形態で説明するテレビジョン放送受信機１１の外観を示している。
【００２０】
このテレビジョン放送受信機１１は、略箱状に形成された筐体１２の前面部１３に、映像表示画面１４と、電源スイッチや各種のキーで構成された操作部１５とを配置している。
【００２１】
また、このテレビジョン放送受信機１１は、操作部１５の操作情報を受けるだけでなく、ワイヤレスのリモートコントローラ１６からの操作情報も受けて、その動作を制御している。
【００２２】
図２は、このテレビジョン放送受信機１１の信号処理系の詳細を示している。まず、図２において、符号１７は、テレビジョン放送電波を受信するアンテナである。
【００２３】
このアンテナ１７に誘起されたテレビジョン信号は、ＰＬＬ（Ｐｈａｓｅ　Ｌｏｃｋｅｄ　Ｌｏｏｐ）周波数シンセサイザ方式のチューナ部１８に供給されて、所望の放送チャンネルの信号が選局される。
【００２４】
この場合、チューナ部１８では、受信したテレビジョン信号と、局部発振信号とを混合することにより、ＰＩＦ（Ｐｉｃｔｕｒｅ　Ｉｎｔｅｒｍｅｄｉａｔｅ　Ｆｒｅｑｕｅｎｃｙ）信号とＳＩＦ（Ｓｏｕｎｄ　Ｉｎｔｅｒｍｅｄｉａｔｅ　Ｆｒｅｑｕｅｎｃｙ）信号とを生成している。
【００２５】
このうち、ＰＩＦ信号は、ＰＩＦ復調部１９によりベースバンドの映像信号に復調され、映像処理部２０により映像表示のための信号処理が施された後、ＣＲＴ（Ｃａｔｈｏｄｅ　Ｒａｙ　Ｔｕｂｅ）部２１で上記映像表示画面１４に映像表示される。
【００２６】
また、ＳＩＦ信号は、ＳＩＦ復調部２２に供給されて音声信号に復調され、音声処理部２３により音声再生のための信号処理が施された後、スピーカ部２４で音声再生される。
【００２７】
上記したテレビジョン信号の一連の再生動作は、ＣＰＵ（Ｃｅｎｔｒａｌ　ＰｒｏｃｅｓｓｉｎｇＵｎｉｔ）２５によって統括的に制御されている。このＣＰＵ２５は、上記操作部１５から得られる操作情報、または、上記リモートコントローラ１６から受信部２６を介して得られる操作情報を受けて、ユーザの要求する動作状態が実現されるように、各部１８〜２０，２２，２３を制御している。
【００２８】
この場合、ＣＰＵ２５は、ＲＯＭ（Ｒｅａｄ　Ｏｎｌｙ　Ｍｅｍｏｒｙ）２７に格納された制御プログラムや、不揮発性のＲＡＭ（Ｒａｎｄｏｍ　Ａｃｃｅｓｓ　Ｍｅｍｏｒｙ）２８に記録された各種の設定値等に基づいて、また、ＲＡＭ２８をワークエリアとして、各部１８〜２０，２２，２３の制御を行なっている。
【００２９】
ここで、上記ＰＩＦ復調部１９は、入力されたＰＩＦ信号に基づいて、放送チャンネルを自動検索するために利用されるＡＦＴ（Ａｕｔｏｍａｔｉｃ　Ｆｉｎｅ　Ｔｕｎｉｎｇ）信号を生成し、ＣＰＵ２５に出力している。このＡＦＴ信号は、映像信号の正変調及び負変調にかかわらず得ることができる。
【００３０】
また、このＰＩＦ復調部１９から出力されたベースバンドの映像信号は、同期検出部２９に供給されて同期信号が検出される。そして、この同期検出部２９から出力される同期検出信号は、ＣＰＵ２５に出力されている。
【００３１】
さらに、上記ＳＩＦ復調部２２は、入力されたＳＩＦ信号から音声キャリアを検出している。音声キャリアは、Ｂ／Ｇシステムが５．５ＭＨｚ、Ｉシステムが６．０ＭＨｚ、Ｄ／Ｋ及びＬシステムが６．５ＭＨｚとなっている。そして、このＳＩＦ復調部２２から出力されるキャリア検出信号は、ＣＰＵ２５に出力されている。
【００３２】
図３及び図４は、上記のような構成となされたテレビジョン放送受信機１１において、そのオートチャンネルプリセット動作をまとめたフローチャートを示している。
【００３３】
まず、ステップＳ１１で、オートチャンネルプリセット動作の開始が要求されると、ＣＰＵ２５は、ステップＳ１２で、ＲＡＭ２８内のプリセットデータを格納する領域のポジションＰＯＳを１とする。
【００３４】
また、ＣＰＵ２５は、ステップＳ１３で、受信チャンネルＣＨを最も低い周波数であるＣＨｍｉｎに設定し、ステップＳ１４で、ＰＩＦ復調部１９を正変調処理が施されたテレビジョン信号を復調するモードに設定する。
【００３５】
その後、ＣＰＵ２５は、ステップＳ１５で、現在設定されている受信チャンネルＣＨでの放送チャンネルの検索を開始し、ステップＳ１６で、ＡＦＴ信号が検出されたか否かを判別する。
【００３６】
この場合、ＡＦＴ信号が検出されなければ（ＮＯ）、ＣＰＵ２５は、現在の受信チャンネルＣＨにテレビジョン信号が存在しないと判断し、ステップＳ２５で、現在の受信チャンネルＣＨに１を加算して、現在よりも一定周波数だけ高い受信周波数に移行させる。
【００３７】
そして、ＣＰＵ２５は、ステップＳ２６で、受信チャンネルＣＨが最大値ｍａｘを超えたか否かを判別し、超えていない場合（ＮＯ）、ステップＳ１４の処理に戻され、超えている場合（ＹＥＳ）、処理を終了（ステップＳ２７）する。
【００３８】
また、上記ステップＳ１６でＡＦＴ信号が検出された場合（ＹＥＳ）、ＣＰＵ２５は、現在の受信チャンネルＣＨにテレビジョン信号が存在すると判断し、ステップＳ１７で、同期検出信号が検出されたか否かを判別する。
【００３９】
そして、同期検出信号が検出されない場合（ＮＯ）、テレビジョン信号の変調方式が異なっている可能性があるため、ＣＰＵ２５は、ステップＳ１８で、キャリア検出信号を検出し、ステップＳ１９で、Ｂ／Ｇ、ＩまたはＤ／Ｋシステムの音声キャリアが検出されているか否かを判別する。
【００４０】
ここで、Ｂ／Ｇ、ＩまたはＤ／Ｋシステムの音声キャリアが検出されていない場合（ＮＯ）、ＣＰＵ２５は、現在の受信チャンネルＣＨにテレビジョン信号が存在しないと判断し、ステップＳ２５の処理に移行する。
【００４１】
また、上記ステップＳ１９でＢ／Ｇ、ＩまたはＤ／Ｋシステムの音声キャリアが検出されている場合（ＹＥＳ）、ＣＰＵ２５は、テレビジョン信号が負変調方式であると判断し、ステップＳ２０で、ＰＩＦ復調部１９を負変調処理が施されたテレビジョン信号を復調するモードに設定する。
【００４２】
そして、ＣＰＵ２５は、ステップＳ２１で、同期検出信号が検出されたか否かを判別し、検出されない場合（ＮＯ）、現在の受信チャンネルＣＨにテレビジョン信号が存在しないと判断し、ステップＳ２５の処理に移行する。
【００４３】
また、上記ステップＳ１７またはステップＳ２１で同期検出信号が検出された場合（ＹＥＳ）、ＣＰＵ２５は、負変調処理の施されたテレビジョン信号を正しく再生することができたと判断し、ステップＳ２２で、現在の受信チャンネルＣＨを放送チャンネルと対応させて、ＲＡＭ２８の現在設定されているポジションＰＯＳに格納する。
【００４４】
その後、ＣＰＵ２５は、ステップＳ２３で、現在のポジションＰＯＳに１を加算し、ステップＳ２４で、ポジションＰＯＳが最大値ｍａｘを超えたか否かを判別する。そして、超えない場合（ＮＯ）、ステップＳ２５の処理に移行し、超えた場合（ＹＥＳ）、処理を終了（ステップＳ２７）する。
【００４５】
上記した実施の形態によれば、正変調処理が施されたテレビジョン信号を復調するモードで、ＡＦＴ信号は検出されるが同期信号が検出されない場合、負変調方式のテレビジョン信号に対応する音声キャリアを検出することによって、負変調方式のテレビジョン信号が存在するか否かを判別する。
【００４６】
そして、負変調方式のテレビジョン信号が存在すると判断された場合、ＰＩＦ復調部１９を負変調処理が施されたテレビジョン信号を復調するモードに切り替え、このモードで同期信号が検出された場合に、その受信チャンネルＣＨをプリセットするようにしている。
【００４７】
すなわち、正変調方式に対応する復調モードにおいて、ＡＦＴ信号の検出された受信チャンネルＣＨに対し、同期信号が得られないと判断された場合には、その場で、音声キャリアの判断結果に基づいて負変調方式に対応する復調モードに切り替え、同期信号の検出を行なうようにしている。
【００４８】
このため、正変調方式に対応する復調モードのときに行なわれた、ＡＦＴ信号の検出動作が無駄にならず、放送チャンネルの検索に要する時間を短縮することが可能となる。
【００４９】
従来では、正変調方式に対応する復調モードにおいて、ＡＦＴ信号が検出されて同期信号が検出されない場合、その受信チャンネルは登録せず、負変調方式に対応する復調モードでの放送チャンネルの検索時に、同じ受信チャンネルに対して、再度、ＡＦＴ信号の検出を行なうようにしている。つまり、従来では、同じ受信チャンネルに対して、ＡＦＴ信号の検出動作が２回行なわれることになり、放送チャンネルの検索に要する時間が長くなっている。
【００５０】
また、上記した実施の形態では、正変調方式に対応する復調モードから放送チャンネルの検出動作を開始し、途中で、負変調方式に対応する復調モードに切り替えられても、次の受信チャンネルでは、再び、正変調方式に対応する復調モードから放送チャンネルの検出動作が開始されるようになっている。
【００５１】
このため、例えば、正変調方式に対応する放送チャンネルが、負変調方式に対応する放送チャンネルよりも多く存在する場所において、オートチャンネルプリセットを行なう場合に、時間の短縮に効果的である。
【００５２】
また、逆に、負変調処理が施されたテレビジョン信号を復調するモードで放送チャンネルの検索を開始し、途中で、正変調処理が施されたテレビジョン信号を復調するモードに切り替えられても、次の受信チャンネルＣＨでは、再び、負変調方式に対応する復調モードから放送チャンネルの検出動作が開始されるようにしてもよい。
【００５３】
さらに、いずれの復調モードでの放送チャンネルの検索を先に行なうかをユーザに選択させるためのスイッチを、操作部１５及びリモートコントローラ１６の少なくとも一方に設置することも考えられる。
【００５４】
このようにすれば、ユーザが自己の存在する国や地域に応じて、より多くの放送チャンネルが存在する方の変調方式に対応する復調モードを先に選択して、放送チャンネルの検索を開始することが可能となり、放送チャンネルの検索に要する時間をより一層短縮することができる。
【００５５】
この場合、その復調モードを選択するスイッチとしては、ユーザに国や地域を選択させる形態であっても、ユーザに変調方式を選択させる形態であっても良いものである。
【００５６】
また、オートチャンネルプリセットとしては、テレビジョン放送受信機１１の電源スイッチが投入されたことに連動して自動的に開始される形態であっても、操作部１５及びリモートコントローラ１６の少なくとも一方に設置された特定のキーを、ユーザが操作することによって開始される形態であっても良いものである。
【００５７】
図５及び図６は、上記テレビジョン放送受信機１１におけるオートチャンネルプリセット動作の他の例をまとめたフローチャートを示している。図５及び図６において、図３及び図４と同一ステップには同一符号を付して示している。
【００５８】
すなわち、上記ステップＳ１８の後、ＣＰＵ２５は、ステップＳ２８で、現在正変調方式に対応した復調モードであればＢ／Ｇ、ＩまたはＤ／Ｋシステムの音声キャリアが検出されているか否かを判別し、現在負変調方式に対応した復調モードであればＬシステムの音声キャリアが検出されているか否かを判別する。
【００５９】
そして、このステップＳ２８で、Ｂ／Ｇ、Ｉ、Ｄ／Ｋシステム、または、Ｌシステムの音声キャリアが検出されている場合（ＹＥＳ）、ＣＰＵ２５は、現在の復調モードがテレビジョン信号の変調方式に対応していないと判断し、ステップＳ２９で、復調モードを切り替えて、ステップＳ２１の処理に移行する。
【００６０】
また、上記ステップＳ２６で、受信チャンネルＣＨが最大値ｍａｘを超えていない場合（ＮＯ）、ＣＰＵ２５は、ステップＳ１５の処理に戻される。
【００６１】
図５及び図６に示した動作例によれば、正変調処理が施されたテレビジョン信号を復調するモードで放送チャンネルの検索を開始し、途中で、負変調処理が施されたテレビジョン信号を復調するモードに切り替えられた場合には、次の受信チャンネルＣＨでは、負変調方式に対応する復調モードから放送チャンネルの検出動作が開始される。
【００６２】
すなわち、一方の変調方式に対応する復調モードにおいて、ＡＦＴ信号が検出されても同期信号が検出されず音声キャリアにより他方の変調方式であると判断された場合に、その場で、他方の変調方式に対応する復調モードに切り替えられる。このため、同じ変調方式の放送チャンネルが連続するような場合に、オートチャンネルプリセットに要する時間を短縮するのに効果的となる。
【００６３】
ここで、上記した実施の形態では、この発明をテレビジョン放送受信機１１に適用した例について説明したが、これに限らず、この発明は、例えば、図７に示すような、ＤＶＤ（Ｄｉｇｉｔａｌ　Ｖｅｒｓａｔｉｌｅ　Ｄｉｓｋ）記録再生機３０にも適用することが可能である。
【００６４】
このＤＶＤ記録再生機３０は、テレビジョン放送を受信して、その映像情報や音声情報等をＤＶＤに記録するとともに、ＤＶＤから映像情報や音声情報を読み出して外部に出力する機能を有している。
【００６５】
このＤＶＤ記録再生機３０は、薄型の箱状に形成された筐体３１の前面部３２に、ＤＶＤ装着部３３と、電源スイッチや各種のキーで構成された操作部３４とを配置している。
【００６６】
また、このＤＶＤ記録再生機３０は、操作部３４の操作情報を受けるだけでなく、ワイヤレスのリモートコントローラ３５からの操作情報も受けて、その動作を制御している。
【００６７】
図８は、このＤＶＤ記録再生機３０の信号処理系の詳細を示している。図８において、図２と同一部分には同一符号を付して示している。
【００６８】
すなわち、上記ＰＩＦ復調部１９から出力された映像信号は、記録再生部３６とセレクタ３７の一方の入力端とに供給されている。また、上記ＳＩＦ復調部２２から出力された音声信号は、記録再生部３６とセレクタ３８の一方の入力端とに供給されている。
【００６９】
この記録再生部３６は、入力された映像信号及び音声信号を、ＤＶＤ３６ａ及び内蔵されたハードディスク３６ｂの両方または一方に選択的に記録する機能を有する。
【００７０】
また、この記録再生部３６は、ＤＶＤ３６ａ及びハードディスク３６ｂのいずれか一方から、そこに記録されている映像信号及び音声信号を読み取って、セレクタ３７，３８の他方の入力端にそれぞれ出力することが可能である。
【００７１】
さらに、この記録再生部３６は、ＤＶＤ３６ａから映像信号及び音声信号を読み取ってハードディスク３６ｂに記録したり、ハードディスク３６ｂから映像信号及び音声信号を読み取ってＤＶＤ３６ａに記録することが可能である。
【００７２】
ここで、セレクタ３７は、ＰＩＦ復調部１９から出力された映像信号と、記録再生部３６から出力された映像信号とを、選択的に外部出力端子３９に導くように機能する。
【００７３】
また、セレクタ３８は、ＳＩＦ復調部２２から出力された音声信号と、記録再生部３６から出力された音声信号とを、選択的に外部出力端子４０に導くように機能している。
【００７４】
ただし、図８において、記録再生部３６としては、ＤＶＤ３６ａ及びハードディスク３６ｂの両方に対して記録再生を行なう機能を有するものに限らず、例えば、ＤＶＤ３６ａ及びハードディスク３６ｂのいずれか一方に対して記録再生を行なう機能を有するものであっても良いものである。また、記録媒体としても、ＤＶＤやハードディスクに限らず、情報記録媒体として一般的に普及しているものを使用可能である。
【００７５】
なお、この発明は上記した実施の形態に限定されるものではなく、この外その要旨を逸脱しない範囲で種々変形して実施することができる。
【００７６】
【発明の効果】
以上詳述したようにこの発明によれば、例えば負変調及び正変調の放送方式について、それぞれ放送チャンネルを自動的に検索してプリセットする際に、放送チャンネルの検索に要する時間を短縮することを可能とした放送受信装置及び放送受信方法を提供することができる。
【図面の簡単な説明】
【図１】この発明の実施の形態を示すもので、テレビジョン放送受信機を説明するために示す外観図。
【図２】同実施の形態におけるテレビジョン放送受信機の信号処理系を説明するために示すブロック構成図。
【図３】同実施の形態におけるテレビジョン放送受信機のオートチャンネルプリセット動作を説明するために示すフローチャート。
【図４】同実施の形態におけるテレビジョン放送受信機のオートチャンネルプリセット動作を説明するために示すフローチャート。
【図５】同実施の形態におけるテレビジョン放送受信機のオートチャンネルプリセット動作の他の例を説明するために示すフローチャート。
【図６】同実施の形態におけるテレビジョン放送受信機のオートチャンネルプリセット動作の他の例を説明するために示すフローチャート。
【図７】この発明の他の実施の形態を示すもので、ＤＶＤ記録再生機を説明するために示す外観図。
【図８】同他の実施の形態におけるＤＶＤ記録再生機の信号処理系を説明するために示すブロック構成図。
【符号の説明】
１１…テレビジョン放送受信機、
１２…筐体、
１３…前面部、
１４…映像表示画面、
１５…操作部、
１６…リモートコントローラ、
１７…アンテナ、
１８…チューナ部、
１９…ＰＩＦ復調部、
２０…映像処理部、
２１…ＣＲＴ部、
２２…ＳＩＦ復調部、
２３…音声処理部、
２４…スピーカ部、
２５…ＣＰＵ、
２６…受信部、
２７…ＲＯＭ、
２８…ＲＡＭ、
２９…同期検出部、
３０…ＤＶＤ記録再生機、
３１…筐体、
３２…前面部、
３３…ＤＶＤ装着部、
３４…操作部、
３５…リモートコントローラ、
３６…記録再生部、
３７…セレクタ、
３８…セレクタ、
３９…外部出力端子、
４０…外部出力端子。
【図１】
2004104593.tif 000003
【図２】
2004104593.tif 000004
【図３】
2004104593.tif 000005
【図４】
2004104593.tif 000006
【図５】
2004104593.tif 000007
【図６】
2004104593.tif 000008
【図７】
2004104593.tif 000009
【図８】
2004104593.tif 000010